(57)【要約】【課題】  画像形成装置上面に記録紙を排紙積載する画像読取部を備えた画像読取記録装置において、装置の小型化、ローコストを図る。【解決手段】  画像読取部を備え、画像形成装置上面に記録紙を排紙積載する画像読取記録装置において、操作部を装置前面に設け操作部の一部を排紙積載部の一部として使用し、尚且つ所定の表示部、キーを排紙積載部以外の領域に設けることで、装置前面に設けられた操作部の操作性を良好に維持し、装置の小型化、ローコスト化を実現した。【選択図】  図１
2005329631.tif 000002
【特許請求の範囲】
【請求項１】
原稿を読み取るための原稿読取部と、記録紙に画像形成を行うための画像形成部と、装置の操作を行うための操作部とを有する画像読取記録装置において、前記画像形成部から排紙された記録紙の一部が前記操作部の一部上面に積載されることを特徴とした画像読取記録装置。
【請求項２】
前記操作部において、記録紙が積載されない領域にスタート、ストップキーを設けたことを特徴とする請求項１記載の画像読取記録装置。
【請求項３】
前記操作部において、記録紙が積載されない領域に液晶情報表示部を設けたことを特徴とする請求項１記載の画像読取記録装置。
【請求項４】
前記操作部において、記録紙が積載されない領域にインジケータランプを設けたことを特徴とする請求項１記載の画像読取記録装置。
【請求項５】
前記操作部において、記録紙が積載されない領域にワンタッチキーを設けたことを特徴とする請求項１記載の画像読取記録装置。
【請求項６】
前記操作部において、記録紙が積載されない領域にテンキーを設けたことを特徴とする請求項１記載の画像読取記録装置。
【発明の詳細な説明】
【技術分野】
【０００１】
本発明は原稿を読取るための原稿読取り部と、画像を記録するための画像形成装置を備えた画像読取記録装置に関する。
【背景技術】
【０００２】
原稿読取部と画像形成装置を備え、画像形成装置により記録された記録紙を画像形成装置上面に排紙積載する画像読取記録装置の従来例が提案されている（例えば、特許文献１及び２参照。）。
【０００３】
実開平０５−００５４６４では、原稿を読取るハンディスキャナとこのハンディスキャナを上部から着脱可能とした構成に対して、画像形成後の記録紙を装置上面に排紙積載する構成を、ハンディスキャナを覆うカバーを開閉自在に設けることで実現している。
【０００４】
また、特開平１１−４１３９１では、画像形成装置の上面に原稿読取部、装置の前面に操作部を配置する構成に対して、画像形成後の記録紙を装置上面に排紙積載する構成を、操作部を排紙積載された記録紙がかからない装置前面の位置に配置することで実現している。
【特許文献１】実開平０５−００５４６４
【特許文献２】特開平１１−４１３９１
【発明の開示】
【発明が解決しようとする課題】
【０００５】
しかしながら上記従来例である実開平０５−００５４６４では操作部が装置左側に位置するために装置の幅方向のサイズが大きくなる問題があった。
【０００６】
また、特開平１１−４１３９１においても、操作部を記録紙がかからない位置まで前方に配置する必要があるため装置の前後方向のサイズが大きくなる問題があった。特に記録紙のサイズが大きい場合は、その影響が顕著となる。
【０００７】
そこで本発明は、このような現状に鑑みてなされたものであり、画像形成後の記録紙を装置上面に排紙積載する構成において、操作部を装置前面に位置させ、操作部の一部を排紙積載領域の一部として使用し、尚且つ操作部の所定のキーや表示部を記録紙が排紙積載される領域外に設けることで、記録紙が積載された状態でも情報の取得と必要な操作を良好に行えることを可能とし、操作性を向上、装置の小型化、装置のローコスト化を目的とするものである。
【課題を解決するための手段】
【０００８】
本発明では上記課題を解決するために、原稿を読み取るための原稿読取部と、記録紙に画像形成を行うための画像形成部と、装置の操作を行うための操作部とを有する画像読取記録装置において、前記画像形成部から排紙された記録紙の一部が前記操作部の一部上面に積載させ、また前記操作部において、記録紙が積載されない領域にスタート、ストップキーを設け、また前記操作部において、記録紙が積載されない領域に液晶情報表示部を設け、また前記操作部において、記録紙が積載されない領域にインジケータランプを設け、また前記操作部において、記録紙が積載されない領域にワンタッチキーを設け、また前記操作部において、記録紙が積載されない領域にテンキーを設ける。
【発明の効果】
【０００９】
本発明によれば、画像形成後の記録紙を装置上面に排紙積載する構成において、装置のサイズを大きくすることなく、また前方に位置させた操作部の操作性を犠牲にすることのない画像読取部を備えた画像読取記録装置を提供することが可能となる。
【発明を実施するための最良の形態】
【００１０】
本発明に係る画像読取記録装置の実施例について、図を用いて説明する。
【００１１】
＜構成＞
（全体説明）本実施形態においては、画像形成装置に電子写真記録手段を有する多機能周辺装置（Ｍｕｌｔｉｐｌｅ  Ｆｕｎｃｔｉｏｎ  Ｐｅｒｉｐｈｅｒａｌ  ：  以下  ＭＦＰ）を用いて説明する。図１に装置全体の斜視図、図２に装置主断面図を示す。ＭＦＰは、原稿読取装置Ａと、画像形成装置Ｂと、記録紙積載部３０、操作部２１から構成されており、コピー機能、ファクシミリ機能、コンピュータ周辺機器としてのプリンタ機能、コンピュータ周辺機器としてのイメージスキャナ機能を有する。
【００１２】
＜原稿読取装置Ａと画像形成装置Ｂの構成と動作＞
以下に、本実施例のＭＦＰを構成する原稿読取装置Ａと画像形成装置Ｂについて説明する。
【００１３】
（画像読取装置Ａ）
図１、図２を参照して原稿読取装置Ａの構成および動作を説明する。
【００１４】
原稿読取装置Ａの原稿読取搬送部１３には、略Ｕ字状の原稿搬送路（以下、Ｕターンパスという）１３ａを有し、このＵターンパス１３ａには、分離ローラ１３ｂ及び分離パット１３ｃ、原稿Ｄ１の有無を検出する原稿有無センサ１３ｄ、原稿Ｄ１を搬送する搬送ローラ１３ｅ及び排紙ローラ対１３ｆ、及び、原稿Ｄ１の先端部及び後端部を検出する原稿エッジセンサ１３ｇ等が取り付けられた構成となっている。
【００１５】
密着型イメージセンサ１５は、光源としてのＬＥＤアレイから原稿Ｄ１の画像情報面に光を照射し、画像情報面で反射した反射光をセルフォックレンズ（商標）でセンサ素子に結像して画像情報を読取るものである。
【００１６】
この原稿搬送部１３においては、操作者が原稿Ｄ１を原稿トレイ１１に載置するとき、原稿Ｄ１の読取画像面を上側にして装置の手前側からセットされるようになっており、原稿有無センサ１３ｄにより原稿Ｄ１が有ることが検知される。
【００１７】
そして、操作者が操作部２１から読取開始を指示すると、不図示の駆動部が回転し、分離ローラ１３ｂおよび分離パット１３ｃによって原稿Ｄ１が１枚ずつに分離され、最上位の原稿Ｄ１が分離搬送される。また、分離された原稿Ｄ１が搬送ローラ１３ｅによって、Ｕターンパス１３ａに沿って搬送され、さらに密着型イメージセンサ１５の読取部へ搬送される。
【００１８】
原稿搬送部１３では、原稿エッジセンサ１３ｇにより原稿Ｄ１の先端部が検知されると、その位置から所定量搬送されたところで、密着型イメージセンサ１５による画像情報の読取りが開始される。その時原稿Ｄ１は、読取白地板１３ｈに押圧されて読取られている。
【００１９】
読取開始後、原稿は排紙ローラ対１３ｆに向かう。
【００２０】
そして、原稿エッジセンサ１３ｇにより原稿Ｄ１の後端部が検知されると、その位置から所定量搬送されたところで、密着型イメージセンサ１５による画像情報の読取りを終了する。そして、当該原稿Ｄ１は、排紙ローラ対１３ｆによって装置外へ排出される。
【００２１】
このようにして、原稿読取装置Ａでは、原稿有無センサ１３ｄが原稿無しを検知するまで上述した読取動作を繰り返す。
【００２２】
（画像形成装置Ｂ）
記録信号に応じて画像を形成する画像形成装置Ｂの各部の構成について、＜１＞光学系、＜２＞記録紙搬送手段、＜３＞転写手段、＜４＞定着手段、＜５＞排紙手段、＜６＞プロセスカートリッジ装着手段の順に説明する。
【００２３】
＜１＞光学系
光学系１は外部装置等から読み込んだ画像情報に基づいて光照射することによって感光体ドラム７へ光像を照射するものであり、図２に示すように、光学ユニット１ａ内にレーザーダイオード（不図示）、ポリゴンミラー１ｂ、スキャナーモータ１ｃ、結像レンズ１ｄが収納してある。
【００２４】
そして例えば自機の画像読取装置から画像信号が与えられると、レーザーダイオードが前記画像信号に応じて発光し、ポリゴンミラー１ｂに画像光として照射する。このポリゴンミラー１ｂはスキャナーモータ１ｃによって高速回転し、該ポリゴンミラー１ｂで反射した画像光が結像レンズ１ｄを介して回転する感光体ドラム７へ照射し、感光ドラム７の表面を選択的に露光して画像情報に応じた静電潜像を形成する。
【００２５】
＜２＞記録紙搬送手段
本実施例におけるファクシミリの場合は、装置底部に横たわり記録紙の一部を装置前面（図２で左側）から突出させた記録紙給紙部２を有する。記録紙給紙部２には、装置本体内部に設けられた記録紙積載台２ａがある。記録紙積載台２ａには記録紙Ｐの搬送方向と直角方向（記録紙Ｐの幅方向）にスライド可能に設けられたマルチスライダー２ｂにより、Ａ４サイズやレターサイズ等の定型サイズ紙はもとより葉書や封筒といった不定形サイズの記録媒体をサポートでき、記録紙給紙部２に載置された記録紙Ｐの両サイドを揃える事ができる。
【００２６】
記録紙Ｐを搬送するための搬送手段３は、画像形成装置Ｂの装置奥側下方に配置され、記録紙給紙部２に載置した記録紙Ｐの最上位の１枚を、記録紙Ｐの先端部に設けたピックアップローラ３ａと、押圧ばね３ｃによって圧接された分離パッド３ｂにて一枚ずつ分離して、画像転写部に搬送する。そして、画像転写後の記録紙Ｐを定着手段５に搬送し、定着後の記録紙Ｐは排紙手段６によって排出される。
【００２７】
＜３＞転写手段
転写手段４は画像形成部で感光体ドラム７に形成されたトナー像を記録紙Ｐに転写するものであり、本実施例の転写手段４は図２に示すように、転写ローラ４ａによって構成している。即ち、装着したプロセスカートリッジＣの感光体ドラム７に転写ローラ４ａによって記録紙Ｐを押圧し、該転写ローラ４ａに感光体ドラム７に形成されたトナー像と逆極性の電圧を印加することにより、感光体ドラム７上のトナーを記録紙Ｐに転写する。
【００２８】
＜４＞定着手段
定着手段５は前記転写ローラ４ａの電圧印加によって記録紙Ｐに転写したトナー像を定着させるものである。その構成は図２に示すように、駆動回転する駆動ローラ５ａと、定着部材５ｂとからなる。即ち、画像形成部でトナー像を転写された記録紙Ｐが前記駆動ローラ５ａと定着部材５ｂ間を通過する際に、両者５ａ，５ｂの押圧によって圧力が印加され、且つヒータ５ｂの発熱によって熱を印加され、記録紙Ｐ上のトナーが記録紙Ｐに定着する。
【００２９】
＜５＞排紙手段
トナー像を定着された記録紙Ｐは排紙手段６によって、記録画像面が下向きのフェイスダウン状態で記録紙トレイ６ａに積載される。
【００３０】
定着手段５によって画像を定着された記録紙Ｐは、排紙ローラ対６ｂによって記録紙トレイ６ａの上に印字面を下側にしてページ順に積載される。
【００３１】
＜６＞プロセスカートリッジ装着手段
画像形成装置Ｂ内にはプロセスカートリッジＣを装着するためのカートリッジ装着手段が設けてあり、プロセスカートリッジＣの装置本体に対する着脱は、開閉部材８を装置上方向に開くことによって行う。画像形成装置Ｂには搬送手段３、定着手段５、排紙手段６、プロセスカートリッジＣを駆動するための駆動手段が配設され、この駆動手段は、駆動源としてのモータからの駆動力をギア列によって各回転体を駆動する。
【００３２】
＜記録紙トレイ６ａと操作部２１の構成と動作＞
次に本発明に係わる記録紙積載部３０、操作部２１の構成について説明する。
【００３３】
（操作部）図１に示すように本実施例のＭＦＰにおいては、操作部２１は本体上面の前方に設置されており、図示せぬフレキシブルフラットケーブルによって図示せぬ本体制御基板に接続されている。このフレキシブルフラットケーブルには電力、キーマトリックス信号、ＬＣＤ信号、センサ信号が伝達される。
【００３４】
（記録紙積載部／操作部）本実施例においては図１に示すように、記録紙積載部３０は記録紙トレイ６ａと、操作部２１から構成されている。操作部２１上の記録紙積載部３０領域には、テンキー３１、ワンタッチキー３２、が配置されており、それ以外の領域にＬＣＤ表示部３３、スタートキー３４、ストップキー３５、インジケータランプ３６、が設置されている。
【００３５】
次に図１、図３を用いて、本実施例におけるＭＦＰが記録紙Ｐを排出するコピー、プリンタ、ＦＡＸ受信、ＦＡＸ送信、画像スキャンをする際の動作について説明する。
【００３６】
（コピー）
コピー時には、ユーザーが原稿トレイ１１に原稿Ｄ１を載置し、操作部２１に設けられたテンキー３１等でコピーの設定を行い、スタートキー３４を押下することでコピーを開始する。
【００３７】
この時、操作部２１は装置前面に位置しているため、良好な操作性を提供することが出来る。コピーが開始されると、最初に上記画像読取装置Ａにより画像の読取が開始される。その時の動作は上述した通りである。
【００３８】
画像読取装置Ａで読取られた画像情報は画像形成装置Ｂに送られ、記録紙Ｐに記録が開始される。コピー動作が開始されると排紙手段６により、図３に示すように記録紙Ｐが記録紙積載部３０に積載される。
【００３９】
この時、記録紙Ｐが記録紙トレイ６ａより大きいサイズであれば操作部２１の上面にも記録紙Ｐは積載されるが、記録紙Ｐが積載されない領域にＬＣＤ表示部３３、スタートキー３４、ストップキー３５、インジケータランプ３６が配置されているため、ユーザーはＬＣＤ表示部３３、インジケータランプ３６を見ることにより、コピー動作の進行状況、ステータスを確認することができ、また、必要があればストップキー３５を押下することにより、装置を停止させることが可能である。
【００４０】
また、記録紙Ｐが積載された状態においても、記録紙Ｐが積載されていない領域にあるスタートキー３４を押下することによりコピー動作を開始することが可能である。
【００４１】
（プリンタ）
プリンタ動作は接続されたコンピュータから情報が伝達されることにより開始される。ＭＦＰが情報を受け取ると、画像形成装置Ｂは上述のように記録動作を開始する。記録動作が開始されると、図３に示すように記録紙Ｐは排出手段６により排出され記録紙積載部３０に積載される。
【００４２】
この時、記録紙Ｐが記録紙トレイ６ａより大きいサイズであれば操作部２１の上面にも記録紙Ｐは積載されるが、記録紙Ｐが積載されない領域にＬＣＤ表示部３３、スタートキー３４、ストップキー３５、インジケータランプ３６が配置されているため、ユーザーはＬＣＤ表示部３３、インジケータランプ３６を見ることにより、プリンタ動作の進行状況、ステータスを確認することができ、また、必要があればストップキー３５を押下することにより、装置を停止させることが可能である。
【００４３】
この時、操作部２１は装置前面に位置しているため、良好な操作性を提供することが出来る。
【００４４】
（ＦＡＸ受信）
ＦＡＸ受信時には、ＦＡＸを受信した段階で記録紙Ｐがセットされており記録を開始することが可能な状態であれば、記録が開始される。記録動作が開始されると、図３に示すように記録紙Ｐは排出手段６により排出され記録紙積載部３０に積載される。
【００４５】
この時、記録紙Ｐが記録紙トレイ６ａより大きいサイズであれば操作部２１の上面にも記録紙Ｐは積載されるが、記録紙Ｐが積載されない領域にＬＣＤ表示部３３、スタートキー３４、ストップキー３５、インジケータランプ３６が配置されているため、ユーザーはＬＣＤ表示部３３、インジケータランプ３６を見ることにより、記録動作の進行状況、ステータスを確認することができ、また、必要があればストップキー３５を押下することにより、装置を停止させることが可能である。
【００４６】
この時、操作部２１は装置前面に位置しているため、良好な操作性を提供することが出来る。
【００４７】
（ＦＡＸ送信）
ＦＡＸ送信は、原稿トレイ１１に載置された原稿Ｄ１を原稿読取装置Ａで読み取り、得られた画像情報を図示せぬモジュラーケーブルより送信することにより行われる。
【００４８】
この時の読取動作は上述した通りである。この際、ユーザーは原稿Ｄ１を原稿トレイ１１にセットし、操作部２１から送信に関する設定を行いスタートキー３４を押下し送信を開始するが、通常ＦＡＸ送信時には記録紙トレイ６ａには排紙された記録紙存在せず、ユーザーは操作部２１の全てのキーに対して良好なオペレーションが可能となる。
【００４９】
（画像スキャン）
画像スキャンは、原稿トレイ１１に載置された原稿Ｄ１を原稿読取装置Ａで読み取り、得られた画像情報をパーソナルコンピュータに送ることにより行われる。
【００５０】
この時の読取動作は上述した通りである。この際、ユーザーは原稿Ｄ１を原稿トレイ１１にセットし、操作部２１から画像スキャンに関する設定を行いスタートキー３４を押下し送信を開始するが、通常画像スキャン時には記録紙トレイ６ａには排紙された記録紙存在せず、ユーザーは操作部２１の全てのキーに対して良好なオペレーションが可能となる。
【００５１】
本実施例では、操作部２１上の記録紙積載部３０領域には、テンキー３１、ワンタッチキー３２、を配置し、それ以外の領域にＬＣＤ表示部３３、スタートキー３４、ストップキー３５、インジケータランプ３６を設置したが、目的に応じてワンタッチキー３２、テンキー３１を記録紙積載部３０領域以外に設けることで良好な操作性を有することができる。
【図面の簡単な説明】
【００５２】
【図１】本体外観図
【図２】本体中央断面図
【図３】本体外観図（記録紙積載状態）
【符号の説明】
【００５３】
Ａ  画像読取装置
Ｂ  画像形成装置
Ｃ  プロセスカートリッジ
Ｄ１  原稿
Ｐ  記録紙
１  光学系
１ａ  光学ユニット
１ｂ  ポリゴンミラー
１ｃ  スキャナーモータ
１ｄ  結像レンズ
２  記録紙給紙部
２ａ  記録紙積載台
２ｂ  マルチスライダー
３  搬送手段
３ａ  ピックアップローラ
３ｂ  分離パッド
３ｃ  押圧ばね
４  転写手段
４ａ  転写ローラ
５  定着手段
５ａ  駆動ローラ
５ｂ  定着部材
６  排紙手段
６ａ  記録紙トレイ
６ｂ  排紙ローラ対
６ｃ  定着排紙ローラ対
７  感光ドラム
８  開閉部材
１１  原稿トレイ
１３  原稿搬送部
１３ａ  略Ｕ字状の原稿搬送路（Ｕターンパス）
１３ｂ  分離ローラ
１３ｃ  分離パット
１３ｄ  原稿有無センサ
１３ｅ  搬送ローラ
１３ｆ  排紙ローラ対
１３ｇ  原稿エッジセンサ
１３ｈ  読取白地板
１５  密着型イメージセンサ
２１  操作部
３０  記録紙積載部
３１  テンキー
３２  ワンタッチキー
３３  ＬＣＤ表示部
３４  スタートキー
３５  ストップキー
３６  インジケータランプ
【図１】
2005329631.tif 000003
【図２】
2005329631.tif 000004
【図３】
2005329631.tif 000005